(57)【要約】【課題】地下スペースの防水を図るにあたって防水シートの防水機能を向上させた地下スペースの構造を提供すること。【解決手段】地上ベース面ＢＧよりも低い位置に設定される地下ベース面ＢＢ上に地業作業を経て床コンクリート６を施工するとともに同床コンクリート６周縁に上方に立ち上がる壁コンクリート７施工して容器状に構成された地下室を構築し、その後同壁コンクリート７の周囲を地上ベースＢＧ面を基準として埋め戻すようにして施工される地下室の構造において、床コンクリート６裏面に弾性を有する断熱プレート５を配設し、同断熱プレート５の裏面に柔軟性を有する防水シート４を配設するとともに、同防水シート４の裏面に衝撃緩衝シート３を配設することによって防水シート４を断熱プレート５及び衝撃緩衝シート３によって挟持した三層構造を床コンクリート６と地業作業層との間に設けるようにした。【選択図】      図１
0003104455.tif 000002
【実用新案登録請求の範囲】
【請求項１】
地上ベース面よりも低い位置に設定された地下ベース面上に地業作業を経て構築され同地下ベース面上に施工される床コンクリートと、同床コンクリート周縁に同地下スペースが埋設された状態で周囲の地盤と接する壁コンクリートを備えた地下スペースであって、
前記床コンクリート裏面に弾性を有する断熱層を配設し、同断熱層の裏面に柔軟性を有する防水シートを配設するとともに、同防水シートの裏面に衝撃緩衝層を配設することによって同防水シートを同断熱層及び同衝撃緩衝層によって挟持した三層構造を床コンクリートと地業作業層との間に設けるようにしたことを特徴とする地下スペースの構造。
【請求項２】
前記防水シートは前記床コンクリートの周縁から前記壁コンクリートの外側面に沿って立ち上がり同記壁コンクリートとの間に弾性を有する断熱層を介在して同壁コンクリートの外側面位置に配設されるとともに、同防水シートと地盤との間に衝撃緩衝層を配設することによって同防水シートを同断熱層及び同衝撃緩衝層によって挟持した三層構造を壁コンクリートと地盤との間に設けるようにしたことを特徴とする請求項１に記載の地下スペースの構造。
【考案の詳細な説明】
【技術分野】
【０００１】
本考案は、鉄筋コンクリートで施工された地下スペースの構造に関するものである。
【背景技術】
【０００２】
一般的な鉄筋コンクリート造りの地下室における防水手段として、簡便且つ安価であるためアスファルト防水がよく知られている。また、近年ではアスファルト防水の代わりにコンクリートと密着しない防水シートを使用することも行われている。
【考案の開示】
【考案が解決しようとする課題】
【０００３】
しかしながら、アスファルト防水はコンクリート面と密着しているため、打設後の伸縮等でコンクリートに亀裂が入るとアスファルトも亀裂を生じ防水機能を喪失することがある。また、防水シートを使用する場合であってもコンクリート面や地盤と接する際には防水シートが傷ついて防水機能を損なう場合もあった。
本考案はこのような従来の技術に存在する問題点に着目してなされたものである。その目的とするところは、地下スペースの防水を図るにあたって防水シートの防水機能を向上させた地下スペースの構造を提供することである。
【課題を解決するための手段】
【０００４】
上記の目的を達成するために請求項１に記載の考案では、地上ベース面よりも低い位置に設定された地下ベース面上に地業作業を経て構築され同地下ベース面上に施工される床コンクリートと、同床コンクリート周縁に同地下スペースが埋設された状態で周囲の地盤と接する壁コンクリートを備えた地下スペースであって、前記床コンクリート裏面に弾性を有する断熱層を配設し、同断熱層の裏面に柔軟性を有する防水シートを配設するとともに、同防水シートの裏面に衝撃緩衝層を配設することによって同防水シートを同断熱層及び同衝撃緩衝層によって挟持した三層構造を床コンクリートと地業作業層との間に設けるようにしたことをその要旨とする。
また請求項２に記載の考案では請求項１に記載の考案の構成に加え、少なくとも前記壁コンクリートの外周には弾性を有する断熱層を配設するとともに、前記防水シートを前記床コンクリートの周縁から同断熱層を間に介在させた状態で同壁コンクリートの外側面に沿って立ち上げ、同防水シートと地盤との間に衝撃緩衝層を配設することによって同防水シートを同断熱層及び同衝撃緩衝層によって挟持した三層構造を壁コンクリートと地盤との間に設けるようにしたことをその要旨とする。
【０００５】
上記のような構成では、地下ベース面上に地業作業を経て床コンクリート及び同床コンクリート周縁に上方に立ち上がる壁コンクリートを施工して地下スペースを構築した状態において、床コンクリート裏面に弾性を有する断熱層が配設され、同断熱層の裏面には柔軟性を有する防水シートが配設され、同防水シートの裏面には衝撃緩衝層が配設される。つまり、床コンクリートと地業作業層の間に防水シートを断熱層と衝撃緩衝層によって挟持した三層構造が形成されることとなる。
また、防水シートは前記床コンクリートの周縁から前記壁コンクリートの外側面に沿って立ち上げて壁コンクリートの防水も兼ねることが好ましい。その場合には防水シートと壁コンクリートとの間に弾性を有する断熱層を介在させるとともに防水シートと地盤との間に衝撃緩衝層を配設することによって同防水シートを同断熱層及び同衝撃緩衝層によって挟持した三層構造を壁コンクリートと地盤との間に設けることが好ましい。
このような地下スペースの構造では防水シートによって防水が図られるとともに、防水シートが断熱層と衝撃緩衝層によって挟持されることとなるため、施工工事の際や建築後の地震や万一の地盤の傾き等によって防水シートが割けたりコンクリートや地盤の凸凹によって傷ついたりすることがなく防水機能が長続きする。
【０００６】
ここに、断熱層とは地下スペースと地下スペース周囲の土壌との温度流通を遮断するものである。これはシート状に形成されたカーペットのような形状であってもエアゾール式に吹き付けて断熱層を形成するものも含む概念である。
また衝撃緩衝層は防水シートが直接捨てコンクリートのような堅い面と接するのを防止する層であって、シート状に形成されたカーペットのような形状であってもエアゾール式に吹き付けて衝撃緩衝層を形成するものも含む概念である。
ここに、地下スペースとは住居として上下と周囲が床、天井及び壁面で囲まれたものだけではなくドライエリアや半地下となった一階部分等も含む概念である。また、一般に地下ベース面は地盤を掘削して掘り下げて造成されるが、逆に地下ベース面を基準に土を盛って地上ベース面を造成するような場合をも含む。
断熱層や衝撃緩衝層が他の機能（例えば脱臭、除湿等）を兼ね備えるものであっても構わない。また、断熱層や衝撃緩衝層自体が多層構造をなしていても構わない。
【考案の効果】
【０００７】
上記各請求項の考案によれば、コンクリートに亀裂が入っても柔軟性がある防水シートには亀裂は入らないため防水性能が格段に向上する。また、防水シートは断熱層と衝撃緩衝層によって保護されるため割けたり傷ついたりすることがなくその防水機能が長続きする。
【考案を実施するための最良の形態】
【０００８】
以下、本考案の実施の形態について図面に基づいて説明する。
図１は本実施の形態の施工方法で構築された地下室の構造の一例である。
地下ベース面ＢＢには砂利が捲かれて砂利層１が形成されている。砂利層１の上には捨てコンクリート層２が形成されている。図２に示すように、捨てコンクリート層２の上には衝撃緩衝シート３が配設されている。衝撃緩衝シート３は厚みのある化繊系のフェルトから構成されている。衝撃緩衝シート３の上には防水シート４が配設されている。防水シート４は十分な柔軟性を備えた合成ゴム製とされている。防水シート４の上には発泡ポリスチレン製の第１の断熱プレート５が配設されている。第１の断熱プレート５は数ｃｍの厚みの弾性を有した板体とされている。第１の断熱プレート５の上には床コンクリート６が打設されている。つまり、床コンクリート６の裏面に第１の断熱プレート５が配設され、第１の断熱プレート５の裏面に防水シート４が配設され、防水シート４の裏面に衝撃緩衝シート３が配設されることとなり、捨てコンクリート層２と床コンクリート６の間に防水シート４が第１の断熱プレート５と衝撃緩衝シート３によって挟持されている三層構造が構成されることとなる。
【０００９】
床コンクリート６の全周縁には壁コンクリート７が立設されている。壁コンクリート７も工事現場において実際にコンクリートを打設することによって形成されている。床コンクリート６及び壁コンクリート７によって容器状の部屋が構築される。
壁コンクリート７の内面及び外面にはそれぞれ第２の断熱プレート８が配設されている。断熱プレート８は壁コンクリート７を打設した後に配設しても壁コンクリート７の打設と共に配設するようにしても構わない。外側に面する第２の断熱プレート８の更に外側面には床コンクリート５の下に敷かれた防水シート４の同床コンクリート５からはみ出た周縁部が立ち上げられて配設されている。防水シート４の更に外側面には同防水シート４と同様に床コンクリート５の下に敷かれた衝撃緩衝シート３の同床コンクリート５からはみ出た周縁部が立ち上げられて配設されている。つまり、壁コンクリート７と地盤Ｅの間に防水シート４が壁コンクリート７の外側に面した第２の断熱プレート８と衝撃緩衝シート３によって挟持されている三層構造が構成されることとなる。
【００１０】
このように構成することで本実施の形態では次のような効果が奏される。
（１）床コンクリート６下部に配設された防水シート４は第１の断熱プレート５と衝撃緩衝シート３によって挟持されて保護されるため直接堅く凸凹した捨てコンクリート層２の上に載置されることがなく、防水シート４が床コンクリート６の打設作業において容易に割けたり傷ついたりすることはなく結果として長期間防水性を発揮することができる。
（２）壁コンクリート７の外側に配設された防水シート４は第２の断熱プレート８と衝撃緩衝シート３によって挟持されて保護されるため、壁コンクリート７の外周の埋め戻し作業において防水シート４が傷つくおそれがなく、結果として長期間防水性を発揮することができる。
（３）防水シート４は床コンクリート６下部位置から壁コンクリート７の外側にかけて途中に継ぎ目無く一体的に配設されるため防水効果が高く、地下室の施工作業における作業効率もアップする。また、防水シート４は柔軟性を有しているため壁コンクリート７の外側位置で立ち上げても折れ曲がって亀裂が入ることもない。
【００１１】
尚、この考案は、次のように変更して具体化することも可能である。
・上記実施の形態のような防水シート４を保護する構造は現場打ちのコンクリート以外にプレキャストのコンクリートブロックを使用する場合にも応用は可能である。
・防水シート４、衝撃緩衝シート３、第１及び第２の断熱プレート５，８の厚み、材質は上記に限定されるものではない。
その他本考案の趣旨を逸脱しない範囲で変更した態様で実施することは事由である。
【図面の簡単な説明】
【００１２】
【図１】本考案の一実施の形態によって構築された地下室周辺の構造を説明する概略断面図。
【図２】（ａ）は図１におけるａで示す床コンクリート周辺の拡大断面図、（ｂ）は図１におけるｂで示す壁コンクリート周辺の拡大断面図。
【符号の説明】
【００１３】
３…衝撃緩衝層としての衝撃緩衝シート、４…防水シート、５，８…断熱層としての断熱プレート、６…床コンクリート、７…壁コンクリート、４…防水シート、ＧＢ…地上ベース面、ＢＢ…地下ベース面。
【図１】
0003104455.tif 000003
【図２】
0003104455.tif 000004